(57)【要約】【課題】  生物的排水処理における微生物の活性度を、微生物を含む汚泥の色の違いで判別することにより、非常に簡単に、しかも確実に把握することができて、生物的排水処理槽（微生物反応槽）の安定的運転が可能であり、さらに、活性汚泥と処理済み水との固液分離を膜で行なう膜分離活性汚泥法（ＭＢＲ）にも適用可能である、生物的排水処理方法を提供する。【解決手段】  微生物を利用する生物的排水処理方法において、微生物反応槽における微生物を含む汚泥の色を識別することにより、微生物の活性度を、微生物を含む汚泥の色の違いで判別する。微生物反応槽に取り付けた色計測機器により、微生物反応槽における微生物を含む汚泥の色の変化をモニタリングし、微生物を含む汚泥の色が、予め設定した基準とする安定運転時の汚泥の色と相違するときに、微生物反応槽の安定運転回復のための制御を行なう。【選択図】    なし【特許請求の範囲】
【請求項１】
微生物を利用する生物的排水処理方法において、微生物反応槽における微生物を含む汚泥の色を識別することにより、微生物の活性度を、微生物を含む汚泥の色の違いで判別することを特徴とする、生物的排水処理方法。
【請求項２】
微生物反応槽に色計測機器を取り付け、微生物反応槽における微生物を含む汚泥の色を測定して数値化することを特徴とする、請求項１に記載の生物的排水処理方法。
【請求項３】
微生物反応槽に取り付けた色計測機器により、微生物反応槽における微生物を含む汚泥の色の変化をモニタリングすることを特徴とする、請求項１または２に記載の生物的排水処理方法。
【請求項４】
微生物を利用する生物的排水処理方法において、微生物を含む汚泥の色を識別することにより、微生物反応槽における微生物の活性度を、微生物を含む汚泥の色の違いで判別し、微生物を含む汚泥の色が、予め設定した基準とする安定運転時の汚泥の色と相違するときに、微生物反応槽の安定運転回復のための制御を行なうことを特徴とする、請求項１〜３のうちのいずれか一項に記載の生物的排水処理方法。
【請求項５】
生物的排水処理方法が、好気性微生物を利用した活性汚泥法であり、微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうことを特徴とする、請求項１〜４のうちのいずれか一項に記載の生物的排水処理方法。
【請求項６】
微生物反応槽（曝気槽）の安定運転回復のための制御が、微生物反応槽（曝気槽）の後流側に配置された沈殿槽から微生物反応槽（曝気槽）への返送汚泥量を制御するものであることを特徴とする、請求項５に記載の生物的排水処理方法。
【請求項７】
微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させることを特徴とする、請求項５または６に記載の生物的排水処理方法。
【請求項８】
生物的排水処理方法が、好気性微生物を利用しかつ活性汚泥と処理済み水との固液分離を膜で行なう膜分離活性汚泥法（ＭＢＲ）であり、高濃度の微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうことを特徴とする、請求項１〜４のうちのいずれか一項に記載の生物的排水処理方法。
【請求項９】
微生物反応槽（曝気槽）の安定運転回復のための制御が、微生物反応槽（曝気槽）の引き抜き汚泥量を制御するものであることを特徴とする、請求項８に記載の生物的排水処理方法。
【請求項１０】
微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させることを特徴とする、請求項８または９に記載の生物的排水処理方法。
【請求項１１】
生物的排水処理方法が、嫌気性微生物を利用した嫌気性アンモニア酸化法（ANAMMOX法）であり、原水中のアンモニアは硝化菌が馴養された担体を投入した前処理槽においてｐＨ、ＤＯ、温度をコントロールすることによってアンモニア性窒素：亜硝酸性窒素が約１：１になるように前処理し、微生物反応槽（ＡＮＡＭＭＯＸ反応槽）に色計測機器を取り付けて、ANAMMOX微生物の色の変化を色計測機器でモニタリングするとともに、微生物を含む汚泥の色を数値化し、微生物を含む汚泥の色の測定値が、予め設定した基準とする安定運転時の汚泥の色の数値範囲と相違するときに、微生物反応槽（ANAMMOX反応槽）の安定運転回復のための制御を行なうことを特徴とする、請求項１〜４のうちのいずれか一項に記載の生物的排水処理方法。
【請求項１２】
微生物反応槽（ANAMMOX反応槽）の安定運転回復のための制御が、基質となる原水中のアンモニア性窒素濃度と亜硝酸性窒素濃度を制御するものであることを特徴とする、請求項１１に記載の生物的排水処理方法。
【請求項１３】
微生物反応槽（ANAMMOX反応槽）の汚泥の色の変化を色測定機器を用いてモニタリングし、微生物反応槽内のANAMMOX汚泥の色がＬ＊ａ＊ｂ＊表色系で、Ｌ＊：５０〜６０、ａ＊：６０〜７０、ｂ＊：６５〜６８の範囲にあるときを基準値とし、この基準値の範囲を超えたとき、上記前処理槽における前処理を最適化することを特徴とする、請求項１１または１２に記載の生物的排水処理方法。
【発明の詳細な説明】
【技術分野】
【０００１】
本発明は、生物的排水処理方法に関するものである。
【背景技術】
【０００２】
従来、生物的排水処理方法において、安定した処理を行なうためには、被処理水の水質の把握を行なって、運転管理が行なわれるが、被処理水の水質測定法として、各種センサー類が開発されており、水質のそれぞれの項目については連続的に自動的にモニタリングできるようになってきている。
【０００３】
一方、センサー類がない水質項目については分析を行ない、安定した処理が行なわれているか、どうかを調査する必要があり、時間と手間がかかるという問題があった。
【０００４】
また、例えば活性汚泥法による生物的排水処理方法では、処理水の水質を測定することと併せて活性汚泥の状態を観察することによって、汚泥中の微生物相の活性が安定しているか、どうかの目安としている。
【０００５】
活性汚泥の状態を把握する手法として、活性汚泥を顕微鏡観察することによる汚泥中の微生物相の把握、活性汚泥の沈降性を観察することなどがあり、これには多くの知識と経験が必要であった。
【０００６】
また、最近の技術において、処理水槽中の活性汚泥濃度を高濃度に保ち、固液分離を膜分離で行なう膜分離活性汚泥法（ＭＢＲ）が知られているが、その場合、従来より蓄積されてきた活性汚泥中の微生物相に関する知見や対策は、適用できないという問題があった。
【０００７】
また、生物的排水処理方法において、被処理水の水質以外にも活性汚泥の状態を把握することが必要である。生物的排水処理において、例えばバルキングが生じれば、沈殿槽において固液分離性に障害をもたらし、水質が悪化するため、これを事前に防止する必要がある。そのために、従来、活性汚泥中の微生物相を光学顕微鏡で観察し、微生物相を把握することによって、運転条件を変更するなどの対策を行ない、バルキングなどトラブルの防止を行なっている。
【０００８】
しかし、かゝる従来法では、観察のための技術、微生物相の識別、出現する微生物相に対する対策等の知識、経験が必要であるという問題があった。
【０００９】
ここで、生物的排水処理方法に関わる従来の特許文献には、つぎのようなものがある。
【特許文献１】特開２００２−１３８０号公報  特許文献１は、生物的排水処理方法における活性汚泥の沈降性に関わるもので、有機性排水を活性汚泥法を用いて処理する方法において、フェノール類および有機酸から選ばれる少なくとも一種を含む化合物の曝気槽における濃度を特定の値となるように保持することにより、放流水の水質を良好に保ち、汚泥の発生量を大きく抑制し、さらに汚泥の沈降性を向上させることが記載されている。
【特許文献２】特開２０００−２４６２８１号公報  特許文献２には、生物的排水処理方法において、活性汚泥処理における曝気槽の微生物相の状態が悪化して、ＢＯＤ及びＣＯＤ成分の除去率の低下を起こしてきた活性汚泥処理装置の曝気槽に、好気性菌を主体としこれに通性嫌気性菌及び若干の嫌気性菌を共存させた生物共生菌を投入して攪拌曝気し、上記曝気槽の微生物相の再生と微生物相の体力の増強とを図る活性汚泥処理の微生物相の再生、及び体力増強方法が開示されている。
【特許文献３】特開２００４−２７６０１７号公報  特許文献３には、活性汚泥処理法を利用した有機性廃水の処理システムであって、有機性廃水が導入される曝気槽、当該曝気槽から排出された処理液を固液分離する沈殿槽、当該沈殿槽から排出された汚泥の一部を当該曝気槽に送給するための返送経路、および有機性廃水に含まれる汚泥の沈降を促す有機系調節剤を当該曝気槽または当該有機性廃水に送給する貯留槽を含む、有機性廃水の処理システムが開示されている。この特許文献３では、有機性廃水が導入された曝気槽に低濃度の有機系調節剤を添加することで、汚泥容量指標（ＳＶＩ）、浮遊性物質（ＳＳ）濃度、および全有機物（ＴＯＣ）濃度を低下させて、活性汚泥処理法による有機性廃水の処理における沈殿槽での有機性廃水の固液分離での分離効率を改善するものである。
【発明の開示】
【発明が解決しようとする課題】
【００１０】
しかしながら、上記のいずれの特許文献にも、生物的排水処理方法において、微生物の活性度を、微生物を含む活性汚泥の色の違いにより判別して、微生物の活性度を改善することについては、何も記載されていない。
【００１１】
また、特許文献１に記載されているように、従来の沈殿槽を用いた処理においては、活性汚泥の沈降性は、処理水質向上のために重要であったが、近年開発された特許文献３に記載されているような固液分離を膜分離で行なう膜分離活性汚泥法（ＭＢＲ）では、高濃度に保持した活性汚泥により生物処理を行ない、膜分離装置によって固液分離するため、活性汚泥の沈降性については問題は生じず、活性汚泥の微生物相の管理として従来より提案されていた沈降性、微生物相と水質の関連などの考えが適用できないという問題があった。
【００１２】
本発明の目的は、上記の従来技術の問題を解決し、生物的排水処理における微生物の活性度を、微生物を含む汚泥の色の違いで判別することにより、非常に簡単に、しかも確実に把握することができて、生物的排水処理槽（微生物反応槽）の安定的運転が可能であり、さらに、活性汚泥と処理済み水との固液分離を膜で行なう膜分離活性汚泥法（ＭＢＲ）にも適用可能である、生物的排水処理方法を提供することにある。
【課題を解決するための手段】
【００１３】
本発明者らは、上記の点に鑑み鋭意研究を重ねた結果、微生物を利用する生物的排水処理方法において、微生物反応槽における微生物を含む汚泥の色をモニタリングすることにより、微生物の活性度を、微生物を含む汚泥の色の違いで判別することができ、これによって、非常に簡単に、しかも確実に微生物の活性度を把握することができて、生物的排水処理槽（微生物反応槽）の安定的運転が可能であることを見い出し、本発明を完成するに至ったものである。
【００１４】
上記の目的を達成するために、請求項１の発明は、微生物を利用する生物的排水処理方法において、微生物反応槽における微生物を含む汚泥の色を識別することにより、微生物の活性度を、微生物を含む汚泥の色の違いで判別することを特徴としている。
【００１５】
請求項２の発明は、請求項１に記載の生物的排水処理方法であって、微生物反応槽に色計測機器を取り付け、微生物反応槽における微生物を含む汚泥の色を測定して数値化することを特徴としている。
【００１６】
請求項３の発明は、請求項１または２に記載の生物的排水処理方法であって、微生物反応槽に取り付けた色計測機器により、微生物反応槽における微生物を含む汚泥の色の変化をモニタリングすることを特徴としている。
【００１７】
請求項４の発明は、請求項１〜３のうちのいずれか一項に記載の生物的排水処理方法であって、微生物反応槽における微生物を含む汚泥の色を識別することにより、微生物の活性度を、微生物を含む汚泥の色の違いで判別し、微生物を含む汚泥の色が、予め設定した基準とする安定運転時の汚泥の色と相違するときに、微生物反応槽の安定運転回復のための制御を行なうことを特徴としている。
【００１８】
請求項５の発明は、請求項１〜４のうちのいずれか一項に記載の生物的排水処理方法であって、生物的排水処理方法が、好気性微生物を利用した活性汚泥法であり、微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうことを特徴としている。
【００１９】
請求項６の発明は、請求項５に記載の生物的排水処理方法であって、微生物反応槽（曝気槽）の安定運転回復のための制御が、微生物反応槽（曝気槽）の後流側に配置された沈殿槽から微生物反応槽（曝気槽）への返送汚泥量を制御するものであることを特徴としている。
【００２０】
請求項７の発明は、請求項５または６に記載の生物的排水処理方法であって、微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させることを特徴としている。
【００２１】
請求項８の発明は、請求項１〜４のうちのいずれか一項に記載の生物的排水処理方法であって、生物的排水処理方法が、好気性微生物を利用しかつ活性汚泥と処理済み水との固液分離を膜で行なう膜分離活性汚泥法（ＭＢＲ）であり、高濃度の微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうことを特徴としている。
【００２２】
請求項９の発明は、請求項８に記載の生物的排水処理方法であって、微生物反応槽（曝気槽）の安定運転回復のための制御が、微生物反応槽（曝気槽）の引き抜き汚泥量を制御するものであることを特徴としている。
【００２３】
請求項１０の発明は、請求項８または９に記載の生物的排水処理方法であって、微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させることを特徴としている。
【００２４】
請求項１１の発明は、請求項１〜４のうちのいずれか一項に記載の生物的排水処理方法であって、生物的排水処理方法が、嫌気性微生物を利用した嫌気性アンモニア酸化法（ANAMMOX法）であり、原水中のアンモニアは硝化菌が馴養された担体を投入した前処理槽においてｐＨ、ＤＯ、温度をコントロールすることによってアンモニア性窒素：亜硝酸性窒素が約１：１になるように前処理し、微生物反応槽（ANAMMOX反応槽）に色計測機器を取り付けて、ANAMMOX微生物の色の変化を色計測機器でモニタリングするとともに、微生物を含む汚泥の色を数値化し、微生物を含む汚泥の色の測定値が、予め設定した基準とする安定運転時の汚泥の色の数値範囲と相違するときに、微生物反応槽（ANAMMOX反応槽）の安定運転回復のための制御を行なうことを特徴としている。
【００２５】
請求項１２の発明は、請求項１１に記載の生物的排水処理方法であって、微生物反応槽（ANAMMOX反応槽）の安定運転回復のための制御が、基質となる原水中のアンモニア性窒素濃度と亜硝酸性窒素濃度を制御するものであることを特徴としている。
【００２６】
請求項１３の発明は、請求項１１または１２に記載の生物的排水処理方法であって、微生物反応槽（ANAMMOX反応槽）の汚泥の色の変化を色測定機器を用いてモニタリングし、微生物反応槽内のANAMMOX微生物を含む汚泥の色がＬ＊ａ＊ｂ＊表色系で、Ｌ＊：５０〜６０、ａ＊：６０〜７０、ｂ＊：６５〜６８の範囲にあるときを基準値とし、この基準値の範囲を超えたとき、上記前処理槽における前処理を最適化することを特徴としている。
【発明の効果】
【００２７】
請求項１の発明は、微生物を利用する生物的排水処理方法において、微生物反応槽における微生物を含む汚泥の色を識別することにより、微生物の活性度を、微生物を含む汚泥の色の違いで判別するもので、本発明によれば、生物的排水処理における微生物の活性度を、微生物を含む汚泥の色の違いで判別することにより、非常に簡単に、しかも確実に把握することができて、生物的排水処理槽（微生物反応槽）の安定的運転が可能であるという効果を奏する。
【００２８】
請求項２の発明は、請求項１に記載の生物的排水処理方法であって、微生物反応槽に色計測機器を取り付け、微生物反応槽における微生物を含む汚泥の色を測定して数値化するもので、本発明によれば、生物的排水処理における微生物の活性度を、微生物反応槽に取り付けた色計測機器による汚泥の色の測定値に基づいて微生物を含む汚泥の色の違いで判別することにより、非常に簡単に、しかも確実に把握することができて、生物的排水処理槽（微生物反応槽）の安定的運転が可能であるという効果を奏する。
【００２９】
請求項３の発明は、請求項１または２に記載の生物的排水処理方法であって、微生物反応槽に取り付けた色計測機器により、微生物反応槽における微生物を含む汚泥の色の変化をモニタリングするもので、本発明によれば、微生物反応槽に取り付けた色計測機器により微生物を含む汚泥の色の測定を連続して行ない、汚泥の色の変化をモニタリングすることにより、微生物を含む汚泥の色の違いから微生物の活性度を連続的に把握することができて、生物的排水処理槽（微生物反応槽）の安定的運転が可能であるという効果を奏する。
【００３０】
請求項４の発明は、請求項１〜３のうちのいずれか一項に記載の生物的排水処理方法であって、微生物を利用する生物的排水処理方法において、微生物反応槽における微生物を含む汚泥の色を識別することにより、微生物の活性度を、微生物を含む汚泥の色の違いで判別し、微生物を含む汚泥の色が、予め設定した基準とする安定運転時の汚泥の色と相違するときに、微生物反応槽の安定運転回復のための制御を行なうもので、本発明によれば、生物的排水処理における微生物の活性度を、非常に簡単に、しかも確実に把握することができて、生物的排水処理槽の安定的運転が可能であるという効果を奏する。
【００３１】
請求項５の発明は、請求項１〜４のうちのいずれか一項に記載の生物的排水処理方法であって、生物的排水処理方法が、好気性微生物を利用した活性汚泥法であり、微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうもので、本発明によれば、生物的排水処理における微生物の活性度を、微生物を含む活性汚泥の色の違いで判別することにより、非常に簡単に、しかも確実に把握することができて、微生物反応槽（曝気槽）の安定運転回復を速やかに行なうことができるという効果を奏する。
【００３２】
請求項６の発明は、請求項５に記載の生物的排水処理方法であって、微生物反応槽（曝気槽）の安定運転回復のための制御が、微生物反応槽（曝気槽）の後流側に配置された沈殿槽から微生物反応槽（曝気槽）への返送汚泥量を制御するものであるもので、本発明によれば、微生物反応槽（曝気槽）の安定運転回復を速やかに行なうことができて、生物的排水処理槽の安定的運転が可能であるという効果を奏する。
【００３３】
請求項７の発明は、請求項５または６に記載の生物的排水処理方法であって、微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させるもので、本発明によれば、生物的排水処理における微生物の活性度を、非常に簡単に、しかも確実に把握することができて、生物的排水処理槽の安定的運転が可能であるという効果を奏する。
【００３４】
請求項８の発明は、請求項１〜４のうちのいずれか一項に記載の生物的排水処理方法であって、生物的排水処理方法が、好気性微生物を利用しかつ活性汚泥と処理済み水との固液分離を膜で行なう膜分離活性汚泥法（ＭＢＲ）であり、高濃度の微生物反応槽（曝気槽）に色計測機器を取り付けて、活性汚泥の色の変化をモニタリングするとともに、活性汚泥の色を数値化し、微生物を含む汚泥の色の測定値が、予め設定した基準とする安定運転時の汚泥の色の数値範囲と相違するときに、微生物反応槽（曝気槽）の安定運転回復のための制御を行なうもので、本発明によれば、膜分離活性汚泥法（ＭＢＲ）であっても、微生物の活性度を、微生物を含む汚泥の色の違いで判別することにより、非常に簡単に、しかも確実に把握することができて、膜分離活性汚泥法（ＭＢＲ）における生物的排水処理槽の安定的運転が可能であるという効果を奏する。
【００３５】
請求項９の発明は、請求項８に記載の生物的排水処理方法であって、微生物反応槽（曝気槽）の安定運転回復のための制御が、微生物反応槽（曝気槽）の引き抜き汚泥量を制御するもので、本発明によれば、微生物反応槽（曝気槽）の安定運転回復を速やかに行なうことができて、膜分離活性汚泥法（ＭＢＲ）における生物的排水処理槽の安定的運転が可能であるという効果を奏する。
【００３６】
請求項１０の発明は、請求項８または９に記載の生物的排水処理方法であって、微生物反応槽（曝気槽）の活性汚泥の色の変化を色測定機器によりモニタリングし、微生物反応槽（曝気槽）のＤＯ（溶存酸素）が２〜３ｍｇ／ＬになるようにＤＯ計およびコントローラーで曝気量を調整し、処理水の水質がＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（曝気槽）の活性汚泥の色の明度および彩度の値が、この基準値より±２以上変化したとき、微生物反応槽（曝気槽）への返送汚泥量を増加させるもので、本発明によれば、微生物反応槽（曝気槽）の安定運転回復を速やかに行なうことができて、膜分離活性汚泥法（ＭＢＲ）における生物的排水処理槽の安定的運転が可能であるという効果を奏する。
【００３７】
請求項１１の発明は、請求項１〜４のうちのいずれか一項に記載の生物的排水処理方法であって、生物的排水処理方法が、嫌気性微生物を利用した嫌気性アンモニア酸化法（ANAMMOX法）であり、原水中のアンモニアは硝化菌が馴養された担体を投入した前処理槽においてｐＨ、ＤＯ、温度をコントロールすることによってアンモニア性窒素：亜硝酸性窒素が約１：１になるように前処理し、微生物反応槽（ANAMMOX反応槽）に色計測機器を取り付けて、ANAMMOX微生物の色の変化を色計測機器でモニタリングするとともに、微生物を含む汚泥の色を数値化し、微生物を含む汚泥の色の測定値が、予め設定した基準とする安定運転時の汚泥の色の数値範囲と相違するときに、微生物反応槽（ANAMMOX反応槽）の安定運転回復のための制御を行なうもので、本発明によれば、近年、新しい窒素の除去方法として注目されているANAMMOX処理方法において、微生物を含む汚泥の色の違いで判別することにより、ANAMMOX微生物の活性を把握し、基質となる原水中のアンモニア性窒素濃度と亜硝酸性窒素濃度を制御することが可能で、微生物反応槽の安定運転回復を速やかに行なうことができるという効果を奏する。
【００３８】
請求項１２の発明は、請求項１１に記載の生物的排水処理方法であって、微生物反応槽（ANAMMOX反応槽）の安定運転回復のための制御が、基質となる原水中のアンモニア性窒素濃度と亜硝酸性窒素濃度を制御するもので、本発明によれば、微生物反応槽（ANAMMOX反応槽）の安定運転回復を速やかに行なうことができて、生物的排水処理槽（ANAMMOX反応槽：微生物反応槽）の安定的運転が可能であるという効果を奏する。
【００３９】
請求項１３の発明は、請求項１１または１２に記載の生物的排水処理方法であって、微生物反応槽（ANAMMOX反応槽）の汚泥の色の変化を色測定機器を用いてモニタリングし、微生物反応槽内のANAMMOX微生物を含む汚泥の色がＬ＊ａ＊ｂ＊表色系で、Ｌ＊：５０〜６０、ａ＊：６０〜７０、ｂ＊：６５〜６８の範囲にあるときを基準値とし、この基準値の範囲を超えたとき、上記前処理槽における前処理を最適化するもので、本発明によれば、新しい窒素の除去方法として注目されているANAMMOX処理方法において、ANAMMOX微生物に特徴のある赤色の色相の変化を色差計で測定することにより、ANAMMOX微生物の活性を把握し、基質となる原水中のアンモニア性窒素濃度と亜硝酸性窒素濃度を制御することが可能で、微生物反応槽の安定運転回復を速やかに行なうことができるという効果を奏する。
【発明を実施するための最良の形態】
【００４０】
つぎに、本発明の実施の形態を、図面を参照して説明するが、本発明はこれらに限定されるものではない。
【００４１】
図１は、本発明による生物的排水処理方法を、好気性微生物を利用した活性汚泥法に適用した第１実施形態に用いる装置のフローシートである。
【００４２】
同図を参照すると、本発明の生物的排水処理方法により、下水やし尿のような有機物と窒素を含む排水（原水）を処理するにあたり、まず、初沈槽（１）で排水中の懸濁物を除去し、ついで、懸濁物除去後の処理水を微生物反応槽（曝気槽）（２）に導入する。微生物反応槽（２）には、例えば下水処理場由来の好気性微生物を含む活性汚泥などを投入しておく。
【００４３】
微生物反応槽（２）の底部には、エアポンプ（６）の作動によって空気が供給される散気管（曝気手段）（７）が備えられている。また、微生物反応槽（２）の頂部に、反応槽（２）内の上部に吊り下げ状に保持されたＤＯ（溶存酸素量）検出センサ（８ａ）を有するＤＯ調整装置（８）と、同様に、反応槽（２）内の上部に吊り下げ状に保持されたＢＯＤ（生物化学的酸素要求量）濃度検出センサ（９ａ）を有するＢＯＤ濃度測定装置（９）とが備えられている。この微生物反応槽（２）では、原水中の有機物が好気性微生物による酸化反応により分解される。
【００４４】
そして、本発明では、微生物反応槽（２）中の活性汚泥の一部を、反応槽（２）下部に接続された取出し管（１１）により取り出して色測定機器（１０）に導き、活性汚泥の状態を色測定機器（１０）によってモニタリングし、微生物反応槽（２）における微生物を含む汚泥の色を識別して、微生物の活性度を、微生物を含む汚泥の色の違いで判別する。モニタリング後の微生物を含む汚泥は、色測定機器（１０）に接続された返送管（１２）によって微生物反応槽（２）に戻す。
【００４５】
具体的には、微生物反応槽（２）に取り付けた色計測機器（１０）によって微生物反応槽（２）における微生物を含む汚泥の色を測定して数値化する。そして、色計測機器（１０）により、微生物反応槽（２）における微生物を含む汚泥の色の変化をモニタリングして、微生物を含む汚泥の色を識別することにより、微生物の活性度を、微生物を含む汚泥の色の違いで判別し、微生物を含む汚泥の色が、予め設定した基準とする安定運転時の汚泥の色と相違するときに、微生物反応槽（２）の安定運転回復のための制御を行なう。この場合、微生物反応槽（曝気槽）（２）の安定運転回復のための制御が、返送汚泥量を制御するものであるのが、好ましい。
【００４６】
反応後の処理水は、微生物反応槽（２）の上端部に接続された処理水排出管（１４）から排出されて、沈殿槽（３）に導入され、そこで固液分離される。沈殿槽（３）の底部には処理水・汚泥一部返送管（１３）が接続されていて、沈殿槽（３）の底部に沈澱した汚泥の一部を処理水と共に、ポンプ（図示略）の作動により返送管（１３）を経て微生物反応槽（２）に返送する。浄化された処理水は、沈殿槽（３）の上部に接続された排出管（１５）より排出される。
【００４７】
本発明においては、上記のＤＯ検出センサ（８ａ）により微生物反応槽（２）中の被処理水のＤＯ（溶存酸素量）を測定するとともに、ＢＯＤ濃度検出センサ（９ａ）により微生物反応槽（２）中の被処理水のＢＯＤ（生物化学的酸素要求量）濃度を測定する。
【００４８】
微生物反応槽（２）中の好気性微生物を含む活性汚泥の色は、処理場の水質や条件によって違い、処理場独自の色を示し、おおよそ茶色から灰色を呈する。基準となる活性汚泥の色を色計測機器（色差計）（１０）により数値として把握する。
【００４９】
ここで、本発明においては、微生物反応槽（曝気槽）（２）の好気性微生物を含む活性汚泥の色の変化を色測定機器（１０）によりモニタリングし、具体的には、微生物反応槽（２）のＤＯ（溶存酸素）が、２〜３ｍｇ／ＬになるようにＤＯ調整装置（ＤＯ計）（８）およびコントローラーで曝気量を調整し、処理水の水質が、ＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（２）の活性汚泥の色の明度および彩度の値が、この基準値より±２以上変化したとき、微生物反応槽（２）の安定運転回復のための制御手段として、返送汚泥量をふやすものである。
【００５０】
こうして、本発明によれば、微生物反応槽（２）の好気性微生物を含む活性汚泥の状態を色の変化で管理することにより、活性汚泥の活性の変化、流入水の異常に即座に対応することができる。
【００５１】
本発明の生物的排水処理方法によれば、微生物反応槽（２）における微生物を含む汚泥の色をモニタリングすることにより、微生物の活性度を、微生物を含む汚泥の色の違いで判別することができ、これによって、非常に簡単に、しかも確実に微生物の活性度を把握することができて、微生物反応槽（２）の安定的運転が可能である。
【００５２】
なお、本発明の生物的排水処理方法を、好気性微生物を利用しかつ活性汚泥と処理済み水との固液分離を膜で行なう膜分離活性汚泥法（ＭＢＲ）に適用した場合にも、同様に、高濃度の微生物反応槽（曝気槽）（２）に色計測機器（１０）を取り付けて、好気性微生物を含む活性汚泥の色の変化をモニタリングするとともに、活性汚泥の色を数値化し、好気性微生物を含む汚泥の色の測定値が、予め設定した基準とする安定運転時の汚泥の色の数値範囲と相違するときに、微生物反応槽（２）の安定運転回復のための制御を行なう。
【００５３】
このとき、上記の場合と同様に、微生物反応槽（曝気槽）（２）の活性汚泥の色の変化を色測定機器（１０）によりモニタリングし、具体的には、微生物反応槽（曝気槽）のＤＯ（溶存酸素）が、２〜３ｍｇ／ＬになるようにＤＯ計（８）およびコントローラーで曝気量を調整し、処理水の水質が、ＢＯＤ（生物化学的酸素要求量）濃度１０ｍｇ／Ｌ以下である安定運転時の色の値をマンセル表色系で示した２．５Ｙ、３．１／２．８（色相、明度／彩度）を基準値とし、微生物反応槽（２）の活性汚泥の色の明度および彩度の値が、この基準値より±２以上変化したとき、微生物反応槽（２）の安定運転回復のための制御を行なうものである。
【００５４】
なお、このときの微生物反応槽（曝気槽）（２）の安定運転回復のための制御は、微生物反応槽（曝気槽）（２）の引き抜き汚泥量を制御するものであるのが、好ましい。
【００５５】
つぎに、本発明の方法は、上記の活性汚泥法だけでなく、特殊な菌相を利用した処理においてもこの手法は用いることができる。
【００５６】
例えば近年、新しい窒素の除去方法として注目されている、嫌気性微生物を利用した嫌気性アンモニア酸化法（ANAMMOX法）にも適用されるものである。
【００５７】
排水（原水）中にアンモニア性窒素または亜硝酸性窒素、あるいはその両方を含む排水処理方法において、アンモニア性窒素を電子供与体、亜硝酸性窒素を電子受容体として窒素ガスに脱窒する生物反応は、ANAMMOX法（嫌気性アンモニア酸化法）として注目されている。
【００５８】
ANAMMOX（嫌気性アンモニア酸化）反応について以下の式に示す。
【００５９】
ANAMMOX脱窒反応式
ａ一１：Nitrosomonas（アンモニア酸化細菌）による生物酸化反応
ＮＨ４＋＋１．５Ｏ２→ＮＯ２−十Ｈ２Ｏ＋２Ｈ＋
ｃ−１：ANAMMOX（嫌気性アンモニア酸化）反応
ＮＨ４＋＋ＮＯ２−→Ｎ２↑十２Ｈ２Ｏ
ANAMMOX（嫌気性アンモニア酸化）反応は、従来法の従属栄養性微生物を用いた脱窒方法と比較すると、脱窒速度がはやく、高濃度排水に適用が可能である。ANAMMOX微生物自体は有機物の処理能力を持たないため、原水中の有機物はANAMMOX反応槽以外で分解する必要がある。
【００６０】
また、ANAMMOX（嫌気性アンモニア酸化）反応は、アンモニア性窒素と亜硝酸性窒素の割合がほぼ１：１で進む反応であるため、原水中のアンモニア性窒素を亜硝酸化する必要がある。原水中に有機物とアンモニア性窒素または亜硝酸性窒素、あるいはその両方を含む排水を処理する場合、ANAMMOX反応槽に導入する前に、有機物分解およびアンモニア性窒素の亜硝酸化を適正に行なうことが、処理効率向上につながる。
【００６１】
本発明による生物的排水処理方法は、このような有機物とアンモニア性窒素を含むあるいはアンモニア性窒素を含む排水（原水）を処理する場合にも適用されるものである。
【００６２】
図３は、本発明による生物的排水処理方法を上記のANAMMOX法（嫌気性アンモニア酸化法）に適用した第２実施形態に用いる装置のフローシートである。
【００６３】
同図を参照すると、本発明による生物的排水処理方法は、有機物とアンモニア性窒素を含むあるいはアンモニア性窒素を含む排水（原水）を処理する方法であって、前処理槽（２１）において原水中の有機物を好気性微生物による酸化反応により分解するとともに、アンモニア性窒素の一部をアンモニア酸化細菌による生物酸化反応により酸化して亜硝酸化する。前処理槽（２１）には原水供給管（２３）から原水を供給する。前処理槽（２１）には、例えば下水処理場由来の活性汚泥などを投入しておく。前処理槽（２１）の底部には、エアポンプ（２４）の作動によって空気供給管から空気が供給される散気管（曝気手段）（２５）が備えられるとともに、前処理槽（２１）内でアンモニア性窒素から亜硝酸性圭素への亜硝酸化がスムーズに進行するように、前処理槽（２１）の頂部に、ＤＯ（溶存酸素量）調整装置（図示略）およびｐＨ調整装置（図示略）が設けられており、そのＤＯ検出センサおよびｐＨ検出センサが前処理槽（２１）内に保持されている。
【００６４】
そして、ＤＯ検出センサにより前処理槽（２１）中の被処理水のＤＯ（溶存酸素量）を計測するとともに、ｐＨ検出センサにより前処理槽（２１）中の被処理水のｐＨを計測して、前処理槽（２１）において原水中の有機物が好気性微生物による酸化反応により分解される好適な条件に調整するものである。
【００６５】
こうして、前処理槽（２１）において原水中の有機物を好気性微生物による酸化反応により分解するとともに、アンモニア性窒素の一部がアンモニア酸化細菌による生物酸化反応により酸化して亜硝酸化する。反応後の１次処理水は、前処理槽（２１）の上部に接続された流送管（２６）から排出される。
【００６６】
前処理槽（２１）の後流側には、通常、沈殿槽（図示略）を設置しておき、前処理槽（２１）から排出された１次処理水を、沈殿槽において固液分離するのが、好ましい。
【００６７】
ついで、前処理槽（２１）からの１次処理水を流送管（２６）を経て、嫌気的な攪拌手段（２７）を有する混合槽としたANAMMOX反応槽（２次処理槽：微生物反応槽）（２２）へと導入する。
【００６８】
ANAMMOX反応槽（２２）には、嫌気性アンモニア酸化の条件で長期間培養した汚泥を投入しておき、このANAMMOX反応槽（２２）において、１次処理水中の亜硝酸性窒素とアンモニア性窒素の残部とから脱窒を行ない、下記のANAMMOX（嫌気性アンモニア酸化）反応により排水を浄化する。
【００６９】
ｃ−１：ANAMMOX（嫌気性アンモニア酸化）反応
ＮＨ４＋＋ＮＯ２−→Ｎ２↑十２Ｈ２Ｏ
浄化された２次処理水は、排出管（２８）より排出される。なお、場合によっては、浄化された２次処理水の一部を循環ポンプの作動により循環管を経てANAMMOX反応槽（２２）に循環返送する。
【００７０】
本発明の方法は、このANAMMOX処理法において、ANAMMOX微生物に特徴のある赤色の色相の変化を色差計で測定することにより、ANAMMOX微生物の活性を把握しようとするものである。
【００７１】
ここで、ANAMMOX反応においては、原水中のアンモニアの約半分だけが亜硝酸まで酸化され、この亜硝酸と残りのアンモニアがほぼ同量、嫌気条件の脱窒反応槽へ供給され、自栄養性のANAMMOX菌により、アンモニアが水素供与体、亜硝酸が水素受容体となる脱窒反応が起こされ、両者が窒素ガスに転換されて除去される。このANAMMOX菌による脱窒反応の化学量論式は、下記式（１）で示されるように提案され、実験的にも確認されている。
【００７２】
1.0ＮＨ４＋＋1.32ＮＯ２−＋0.066ＨＣＯ３−＋0.13Ｈ＋＝
1.02Ｎ２＋0.26ＮＯ３−＋0.066ＣＨ２Ｏ０．５Ｎ０．１５＋2.03Ｈ２Ｏ・・・（１）
なお、原水中のアンモニアの一部を亜硝酸化して、上記反応式（１）の反応に最適なアンモニア／亜硝酸比で脱窒槽に供給するためには、好気的条件での前処理が必要であるが、この場合、硝化菌によるアンモニアの酸化を亜硝酸で止め、硝酸化させないシステムが必要である。
【００７３】
原水中のアンモニアは、硝化菌が馴養された担体を投入した前処理槽（２１）においてｐＨ、ＤＯ、温度をコントロールすることによってアンモニア性窒素：亜硝酸性窒素が約１：１になるように前処理する。
【００７４】
本発明では、微生物反応槽（ANAMMOX反応槽）（２２）に色計測機器（３０）を取り付ける。そして、微生物反応槽（２２）中のANAMMOX菌を含む汚泥の一部を、微生物反応槽（２２）下部に接続された取出し管（３１）により取り出して色測定機器（３０）に導き、ANAMMOX菌を含む汚泥の状態を色測定機器（３０）によってモニタリングし、微生物反応槽（２２）におけるANAMMOX菌を含む汚泥の色を識別して、ANAMMOX菌の活性度を、ANAMMOX菌を含む汚泥の色の違いで判別する。モニタリング後のANAMMOX菌を含む汚泥は、色測定機器（３０）に接続された返送管（３２）によって微生物反応槽（２２）に戻す。
【００７５】
こうして、微生物反応槽（２２）におけるANAMMOX微生物の色の変化を色計測機器（３０）でモニタリングするとともに、微生物を含む汚泥の色を数値化し、微生物を含む汚泥の色の測定値が、予め設定した基準とする安定運転時の汚泥の色の数値範囲と相違するときに、微生物反応槽（２２）の安定運転回復のための制御を行なう。
【００７６】
ここで、微生物反応槽（２２）の安定運転回復のための制御が、基質となる原水中のアンモニア性窒素濃度と亜硝酸性窒素濃度のバランスを保持するように、前処理槽（２１）における前処理条件を制御するものであるのが、好ましい。
【００７７】
具体的には、本発明による生物的排水処理方法は、微生物反応槽（ANAMMOX反応槽）（２２）の汚泥の色の変化を色測定機器（３０）を用いてモニタリングし、微生物反応槽（２２）内のANAMMOX微生物を含む汚泥の色がＬ＊ａ＊ｂ＊表色系で、Ｌ＊：５０〜６０、ａ＊：６０〜７０、ｂ＊：６５〜６８の範囲にあるときを基準値とし、この基準値の範囲を超えたとき、上記前処理槽（２１）における前処理を最適化するものである。
【実施例】
【００７８】
以下、本発明の実施例を説明するが、本発明はこれらに限定されるものではない。
【００７９】
実施例１
図１に示す装置を用いて本発明の生物的排水処理方法を実施した。被処理排水は、下水処理場の原水であり、まずこれを初沈槽（１）に導入し、そこで原水中の懸濁物を除去した。ついで、懸濁物除去後の処理水を曝気槽（微生物反応槽）（２）に導入した。曝気槽（２）には、下水処理場由来の活性汚泥を投入した。
【００８０】
曝気槽（２）の底部に備えられた散気管（曝気手段）（７）に、エアポンプ（６）の作動によって空気が供給され、この曝気槽（２）では、原水中の有機物が好気性微生物による酸化反応により分解される。曝気槽（２）の頂部に、ＤＯ（溶存酸素量）検出センサ（８ａ）を具備するＤＯ調整装置（８）と、ＢＯＤ（生物化学的酸素要求量）濃度検出センサ（９ａ）を具備するＢＯＤ濃度測定装置（９）とが備えられている。この曝気槽（２）に備えられたＤＯ検出センサ（８ａ）により曝気槽（２）中の被処理水のＤＯ（溶存酸素量）を測定するとともに、ＢＯＤ濃度検出センサ（９ａ）により曝気槽（２）中の被処理水のＢＯＤ（生物化学的酸素要求量）濃度を測定した。
【００８１】
本発明では、曝気槽（２）中の活性汚泥の一部を、曝気槽（２）下部に接続された取出し管（１１）により取り出して色測定機器（色差計）（１０）に導き、活性汚泥の状態を色測定機器（１０）によってモニタリングし、曝気槽（２）における微生物を含む汚泥の色を識別して、微生物の活性度を、微生物を含む汚泥の色の違いで判別した。モニタリング後の微生物を含む汚泥は、色測定機器（１０）に接続された返送管（１２）によって曝気槽（２）に戻した。
【００８２】
上記の排水処理を４５日間実施し、曝気槽（２）中の活性汚泥の色を色測定機器（１０）を用いてモニタリングした。曝気槽（２）中の被処理水のＤＯ（溶存酸素量）は、２〜３ｍｇ／ＬになるようにＤＯ調整装置（８）およびコントローラで曝気量を調整した。
【００８３】
そして、曝気槽（２）中の処理水の水質がＢＯＤ（生物化学的酸素要求量）濃度１０ｍｇ／Ｌ以下と安定した場合の色測定機器（色差計）（１０）を用いた色の値をマンセル表色系で示した２．５Ｙ、３．１／２．８（色相、明度／彩度）を基準値とした。この基準値より明度または彩度の値が±２以上変化したとき、返送汚泥量を増加させた。
【００８４】
図２ａに、このときのマンセル表色系で示した好気性微生物を含む活性汚泥の色の明度および彩度の値を、図２ｂに、処理水水質（ＢＯＤ濃度）の値をそれぞれ示した。好気性微生物を含む活性汚泥の色が変化したときに、返送汚泥量を増加させる制御を行なうことによって、処理水質が向上し、安定した運転を行なうことができた。
【００８５】
実施例２
図３に示す装置を用いて本発明の生物的排水処理方法を実施した。まず、有機物とアンモニア性窒素を含む排水（原水）として、グルコースおよび塩化アンモニウムで実験用排水（原水）を調整し、原水中のＢＯＤ２０ｍｇ／Ｌ、およびアンモニア性窒素２０ｍｇ／Ｌとした。
【００８６】
前処理槽（２１）には原水供給管（２３）から上記の原水を供給する。前処理槽（２１）には、下水処理場由来の活性汚泥を投入した。前処理槽（２１）の底部には、エアポンプ（２４）の作動によって空気供給管から空気が供給される散気管（曝気手段）（２５）が備えられるとともに、前処理槽（２１）の頂部に、ＤＯ（溶存酸素量）調整装置（図示略）およびｐＨ調整装置（図示略）が設けられ、前処理槽（２１）内でアンモニア性窒素から亜硝酸性圭素への亜硝酸化がスムーズに進行するように、前処理槽（２１）の生物反応系のＤＯおよびｐＨを、ＤＯ調整装置およびｐＨ調整装置によりそれぞれ調整した。
【００８７】
この前処理槽（２１）において、原水中の有機物を好気性微生物による酸化反応により分解するとともに、アンモニア性窒素の一部がアンモニア酸化細菌による生物酸化反応により酸化して亜硝酸化する。
【００８８】
ついで、前処理槽（２１）からの１次処理水を流送管（２６）を経て、嫌気的な攪拌手段（２７）を有する混合槽とした微生物反応槽（２次処理槽：微生物反応槽）（２２）へと導入する。
【００８９】
微生物反応槽（２２）には、嫌気性アンモニア酸化の条件で長期間培養した汚泥を投入しておき、この微生物反応槽（２２）において、１次処理水中の亜硝酸性窒素とアンモニア性窒素の残部とから脱窒を行ない、下記のANAMMOX（嫌気性アンモニア酸化）反応により排水を浄化する。浄化された２次処理水は、排出管（２８）より排出される。
【００９０】
本発明では、微生物反応槽（２２）に色計測機器（３０）を取り付ける。そして、微生物反応槽（２２）中のANAMMOX菌を含む汚泥の一部を、微生物反応槽 （２２）下部に接続された取出し管（３１）により取り出して色測定機器（３０）に導き、ANAMMOX菌を含む汚泥の状態を色測定機器（３０）によってモニタリングし、微生物反応槽（２２）におけるANAMMOX菌を含む汚泥の色を識別して、ANAMMOX菌の活性度を、ANAMMOX菌を含む汚泥の色の違いで判別する。モニタリング後のANAMMOX菌を含む汚泥は、色測定機器（３０）に接続された返送管（３２）によって微生物反応槽（２２）に戻す。
【００９１】
こうして、微生物反応槽（２２）におけるANAMMOX微生物の色の変化を色計測機器（３０）でモニタリングするとともに、ANAMMOX微生物を含む汚泥の色を数値化し、ANAMMOX微生物を含む汚泥の色の測定値が、予め設定した基準とする安定運転時の汚泥の色の数値範囲と相違するときに、微生物反応槽（２２）の安定運転回復のための制御を行なう。
【００９２】
具体的には、微生物反応槽（２２）内のANAMMOX菌を含む汚泥の色がＬ＊ａ＊ｂ＊表色系で、Ｌ＊：５０〜６０、ａ＊：６０〜７０、ｂ＊：６５〜６８の範囲にあるときを基準値とし、この基準値の範囲内にあるとき、２次処理水中にはアンモニアおよび亜硝酸性窒素は検出されなかったが、上記の基準値の範囲を超えると、２次処理水中にアンモニアあるいは亜硝酸性窒素が検出された。そして、上記の基準値の範囲を超えたとき、前処理槽（２１）における前処理を最適化することにより、処理水中のアンモニアあるいは亜硝酸性窒素は低減した。
【００９３】
このことから、ANAMMOX反応において、ANAMMOX菌を含む汚泥の色が著しく変化した場合、前処理の結果調整されるアンモニア性窒素と亜硝酸性窒素のバランスが悪くなっていることがわかった。ANAMMOX菌を含む汚泥の色の変化が現れたときに、原水の変動、あるいは前処理の状態の悪化が考えられ、前処理の条件を改善することにより、微生物反応槽（２２）の安定した運転を行なうことができた。
【図面の簡単な説明】
【００９４】
【図１】本発明による生物的排水処理方法の第１実施形態に用いる装置のフローシートである。
【図２】図２ａは、本発明の実施例１における排水処理方法において、曝気槽内の活性汚泥の色をマンセル表色系で示した場合の明度および彩度の値を示すグラフである。図２ｂは、同曝気槽内の処理水の水質（ＢＯＤ濃度）の値を示すグラフである。
【図３】本発明による生物的排水処理方法の第２実施形態に用いる装置のフローシートである。
【符号の説明】
【００９５】
１：初沈槽
２：曝気槽（微生物反応槽）
４：原水供給管
５：流送管
６：エアポンプ
７：散気管（曝気手段）
８：ＤＯ調整装置
８ａ：ＤＯ検出センサ
９：ＢＯＤ濃度測定装置
９ａ：ＢＯＤ濃度検出センサ
１０：色測定機器（色差計）
１１：取出し管
１２：返送管
１３：流送管
１４：活性汚泥一部返送管
１５：排出管
２１：前処理槽
２２：ANAMMOX反応槽（微生物反応槽）
２３：原水供給管
２４：エアポンプ
２５：散気管（曝気手段）
２６：流送管
２７：攪拌器
２８：排出管
３０：色測定機器（色差計）
３１：取出し管
３２：返送管
【図１】
2007190510.tif 000002
【図２】
2007190510.tif 000003
【図３】
2007190510.tif 000004